(57)【要約】【課題】操作の入力を受け付ける際に、操作効率を改善すること。【解決手段】予め定められた設定項目において、有効及び無効の何れか一方を示す選択値及び当該選択値が有効を示す場合の設定値を記憶する記憶部１１０と、予め定められた設定項目に関する設定画面を表示するとともに、ユーザ操作に基づいて、設定画面への画面遷移の指示を受け付けるタッチパネル１２０と、タッチパネル１２０が設定画面への画面遷移の指示を受け付けた際に、記憶部１１０に記憶されている選択値が無効を示す場合に、予め定められた設定項目の選択値として有効が選択された設定画面をタッチパネル１２０に表示させる操作制御部１３０とを備える。【選択図】図１
2016010087.tif 000002
【特許請求の範囲】
【請求項１】
予め定められた設定項目において、有効及び無効の何れか一方を示す選択値及び当該選択値が有効を示す場合の設定値を記憶する記憶部と、
前記予め定められた設定項目に関する設定画面を表示する表示部と、
ユーザ操作に基づいて、前記設定画面への画面遷移の指示を受け付ける受付部と、
前記受付部が前記設定画面への画面遷移の指示を受け付けた際に、前記記憶部に記憶されている選択値が無効を示す場合に、前記予め定められた設定項目の選択値として有効が選択された設定画面を前記表示部に表示させる制御部と、を備えること
を特徴とする情報処理装置。
【請求項２】
前記受付部は、前記設定画面において、前記予め定められた設定項目の選択値として有効又は無効の選択を受け付け、
前記設定画面において、前記受付部が前記予め定められた設定項目の選択値として無効の選択を受け付けた場合には、前記表示部は、前記設定画面から別の画面に表示を切り替えること
を特徴とする請求項１に記載の情報処理装置。
【請求項３】
前記設定画面において、前記受付部が前記予め定められた設定項目の選択値として無効の選択を受け付けた場合には、前記制御部は、前記記憶部に記憶されている選択値を、無効を示すように更新すること
を特徴とする請求項２に記載の情報処理装置。
【請求項４】
前記別の画面は、前記設定画面を表示する前に前記表示部に表示されていた画面であること
を特徴とする請求項２又は３に記載の情報処理装置。
【請求項５】
前記別の画面は、複数の設定項目の中から、前記予め定められた設定項目を選択することのできる画面であること
を特徴とする請求項２から４の何れか一項に記載の情報処理装置。
【請求項６】
前記受付部は、前記設定画面において、少なくとも前記予め定められた設定項目の選択値として有効が選択されている場合に、前記予め定められた設定項目の設定値の入力を受け付けること
を特徴とする請求項１から５の何れか一項に記載の情報処理装置。
【請求項７】
前記予め定められた設定項目は、画像形成に関する項目であること
を特徴とする請求項１から６の何れか一項に記載の情報処理装置。
【請求項８】
前記予め定められた設定項目は、画像を形成する媒体の端に余白を形成する枠消去機能を設定する項目であって、
前記予め定められた設定項目の選択値は、前記枠消去機能を有効にするか否かを選択する値であって、
前記予め定められた設定項目の設定値は、前記枠消去機能を有効にした場合における前記余白の大きさを示す値であること
を特徴とする請求項７に記載の情報処理装置。
【請求項９】
前記予め定められた設定項目は、省電力機能に関する項目であること
を特徴とする請求項１から６の何れか一項に記載の情報処理装置。
【請求項１０】
前記予め定められた設定項目は、前記情報処理装置の不使用期間が予め定められた閾値時間を超えた場合に、前記情報処理装置を省電力状態に移行させるスリープ機能を設定する項目であって、
前記予め定められた設定項目の選択値は、前記スリープ機能を有効にするか否かを選択する値であって、
前記予め定められた設定項目の設定値は、前記スリープ機能を有効にした場合における前記閾値時間を示す値であること
を特徴とする請求項９に記載の情報処理装置。
【請求項１１】
予め定められた設定項目において、有効及び無効の何れか一方を示す選択値及び当該選択値が有効を示す場合の設定値を記憶する記憶過程と、
前記予め定められた設定項目に関する設定画面を表示する表示過程と、
ユーザ操作に基づいて、前記設定画面への画面遷移の指示を受け付ける受付過程と、
前記受付過程で前記設定画面への画面遷移の指示を受け付けた際に、前記記憶過程で記憶された選択値が無効を示す場合に、前記予め定められた設定項目の選択値として有効が選択された設定画面を前記表示過程で表示させる制御過程と、を備えること
を特徴とする情報処理方法。
【発明の詳細な説明】
【技術分野】
【０００１】
本発明は、情報処理装置及び情報処理方法に関する。
【背景技術】
【０００２】
情報処理装置において、入力された数値に基づいて特定の処理を行うことがある。このため、数値の入力を受け付ける手段を備える情報処理装置が一般的に知られている。
特許文献１には、複数の数値を表示可能な表示部と、選択切換の第１の操作部と、数値変更の第２の操作部と、装置内部に登録される設定数値は数値変更操作直後から予め規定された一定時間経過後に設定変更が確定し、数値変更操作直後から一定時間経過後の設定変更が確定するまでの時間帯においては、上記第２の操作部からの信号入力のみ有効とし、画面上に表示される変更可能な複数の数値は、全て上記第１の操作部および上記第２の操作部だけで任意の値に変更するように制御する制御部とを備える数値設定装置が記載されている。即ち、従来から、数値変更に係る操作ミスを低減させる技術が開示されている。
【先行技術文献】
【特許文献】
【０００３】
【特許文献１】特開２００１―１５４７８６号公報
【発明の概要】
【発明が解決しようとする課題】
【０００４】
情報処理装置では、オン状態とオフ状態とがあり、オン状態のときに数値が有効となる設定項目を扱うことがよくある。例えば、目覚まし時計のアラームは、オン状態にアラーム鳴動時刻が有効となる。以降、こういった設定項目を、オン状態に数値が付随する設定項目という。こういった情報処理装置では、オン状態に数値が付随する設定項目を扱う場合に、オン状態及びオフ状態の切り替え操作及び数値入力操作を個別の設定画面上で行わせることが一般的である。
この場合、設定画面を表示した時点で、ユーザはその設定項目を使用する意図があるにも関わらず、別途、オン状態及びオフ状態の切り替え操作を行わなければならい。さらに、そのような設定画面上でオフ状態に切り替えた場合、ユーザは、既にその設定項目を使用する意図がないにも関わらず、そのような設定画面が表示し続けられる。即ち、従来の技術においては、操作効率の面において、課題があると考えられる。
【０００５】
そこで、本発明は、操作入力を行う場合に、操作効率を改善することを目的とする。
【課題を解決するための手段】
【０００６】
本発明の一態様に係る情報処理装置は、予め定められた設定項目において、有効及び無効の何れか一方を示す選択値及び当該選択値が有効を示す場合の設定値を記憶する記憶部と、前記予め定められた設定項目に関する設定画面を表示する表示部と、ユーザ操作に基づいて、前記設定画面への画面遷移の指示を受け付ける受付部と、前記受付部が前記設定画面への画面遷移の指示を受け付けた際に、前記記憶部に記憶されている選択値が無効を示す場合に、前記予め定められた設定項目の選択値として有効が選択された設定画面を前記表示部に表示させる制御部と、を備えることを特徴とする。
【０００７】
本発明の一態様に係る情報処理装置は、予め定められた設定項目において、有効及び無効の何れか一方を示す選択値及び当該選択値が有効を示す場合の設定値を記憶する記憶過程と、前記予め定められた設定項目に関する設定画面を表示する表示過程と、ユーザ操作に基づいて、前記設定画面への画面遷移の指示を受け付ける受付過程と、前記受付過程で前記設定画面への画面遷移の指示を受け付けた際に、前記記憶過程で記憶された選択値が無効を示す場合に、前記予め定められた設定項目の選択値として有効が選択された設定画面を前記表示過程で表示させる制御過程と、を備えることを特徴とする。
【発明の効果】
【０００８】
本発明の一態様によれば、操作入力を行う場合に、操作効率を改善することができる。
【図面の簡単な説明】
【０００９】
【図１】実施の形態１に係る情報処理装置の構成を概略的に示すブロック図である。
【図２】実施の形態１における設定記憶部が記憶する設定情報の一例を示す概略図である。
【図３】実施の形態１において、タッチパネルに表示されるコピー機能設定画面の第１の例を示す概略図である。
【図４】実施の形態１における枠消去の設定画面の第１の例を示す概略図である。
【図５】実施の形態１における枠消去の設定画面の第２の例を示す概略図である。
【図６】実施の形態１におけるコピー機能設定画面の第２の例を示す概略図である。
【図７】実施の形態１における枠消去の設定画面を読み出す動作を示すフローチャートである。
【図８】実施の形態１における枠消去の設定画面での動作を示すフローチャートである。
【図９】実施の形態１における枠消去幅加算処理を示すフローチャートである。
【図１０】実施の形態１における枠消去幅減算処理を示すフローチャートである。
【図１１】実施の形態１における確定処理を示すフローチャートである。
【図１２】実施の形態１におけるＯＦＦ処理を示すフローチャートである。
【発明を実施するための形態】
【００１０】
実施の形態１．
（構成の説明）
図１は、実施の形態１に係る情報処理装置１００の構成を概略的に示すブロック図である。情報処理方法は、情報処理装置１００により実行される。
情報処理装置１００は、記憶部１１０と、タッチパネル１２０と、操作制御部１３０とを備える。
【００１１】
記憶部１１０は、情報処理装置１００での処理に必要な情報を記憶する。
記憶部１１０は、設定記憶部１１１と、表示用データ記憶部１１２とを備える。
設定記憶部１１１は、予め定められた設定項目において、有効及び無効の何れか一方を示す選択値及びこの選択値が有効を示す場合の設定値を含む設定情報を記憶する。予め定められた設定項目は、例えば、画像形成に関する項目又は省電力機能に関する項目等である。
図２は、設定記憶部１１１が記憶する設定情報の一例を示す概略図である。
図２では、設定情報の一例として、設定項目としての枠消去機能に関する設定テーブル１１１ａが示されている。
ここで、枠消去機能は、例えば、コピーを実行する際に、読み取られた画像において、その端から予め定められた幅分の画素を白画素へ変換する広く公知の機能及び技術である。
設定テーブル１１１ａは、枠消去オンオフ値欄１１１ｂと、枠消去幅欄１１１ｃと、一時枠消去オンオフ値欄１１１ｄと、一時枠消去幅欄１１１ｅとを有する。
枠消去オンオフ値欄１１１ｂは、枠消去機能の選択値として、枠消去機能を使用するか否かを示す枠消去オンオフ値を格納する。「オン」は、枠消去機能を有効にすることを示し、「オフ」は、枠消去機能を無効にすることを示す。
枠消去幅欄１１１ｃは、枠消去機能の設定値として、枠消去機能が有効である場合に、画像の端から白画素へ変換する幅の値（枠消去幅）を格納する。
一時枠消去オンオフ値欄１１１ｄは、設定画面に表示するための一時的な枠消去オンオフ値を格納する。一時枠消去オンオフ値欄１１１ｄに格納される値は、設定画面において枠消去オンオフ値を変更するために用いられる。
一時枠消去幅欄１１１ｅは、設定画面に表示するための一時的な枠消去幅を格納する。一時枠消去幅欄１１１ｅに格納される値は、設定画面において枠消去幅を変更するために用いられる。
【００１２】
図１の説明に戻り、表示用データ記憶部１１２は、タッチパネル１２０に画面を表示するための表示用データを記憶する。表示用データは、例えば、タッチパネル１２０に表示する画面を描画するためのプログラム及びタッチパネル１２０に表示する画面に組み込まれる部分画像データを含む。
【００１３】
タッチパネル１２０は、画面を表示する表示部及び入力を受け付ける受付部として機能する。例えば、タッチパネル１２０は、操作制御部１３０が生成した画面データを表示するとともに、抵抗膜により、押下された位置を検出する。なお、タッチパネル１２０は、後述のように、予め定められた設定項目に関する設定画面への画面遷移の指示を受け付け、その設定画面を表示する。そして、タッチパネル１２０は、その設定画面において、その設定項目の選択値として有効又は無効の選択を受け付け、また、少なくともその設定項目の選択値として有効が選択されている場合に、その設定項目の設定値の入力を受け付ける。一方、タッチパネル１２０は、その設定画面において、その設置項目の選択値として無効の選択を受け付けた場合には、その設定画面から別の画面に表示を切り替える。別の画面は、少なくともその設定項目の設定値の入力を受け付けることのできない画面であればよい。例えば、別の画面は、設定画面が表示される前に表示されていた画面であってもよく、複数の設定項目の中から、予め定められた設定項目を選択することのできる画面であってもよい。
操作制御部１３０は、情報処理装置１００での処理を制御する制御部である。例えば、操作制御部１３０は、表示用データ記憶部１１２に記憶されている表示用データを用いて、画面データを生成する。そして、操作制御部１３０は、生成された画面データをタッチパネル１２０に送り、それに基づいてタッチパネル１２０に画面を表示させて、その画面を介して入力を受け付ける。これにより、操作制御部１３０は、タッチパネル１２０における画面遷移を制御するとともに、ユーザからの入力を基づいて、図示しない機能実行部における機能の実行を制御する。なお、操作制御部１３０は、タッチパネル１２０が予め定められた設定項目に関する設定画面への画面遷移の指示を受け付けた際に、記憶部１１０に記憶されている選択値が無効を示す場合に、予め定められた設定項目の選択値として有効が選択された設定画面をタッチパネル１２０に表示させる。また、図示しない機能実行部は、例えば、紙等の媒体に画像を形成する画像形成部であればよい。
【００１４】
図３は、タッチパネル１２０に表示されるコピー機能設定画面の一例を示す概略図である。
図示するように、コピー機能設定画面１４０は、コピー機能に付随する設定項目を選択するための領域であるボタン１４１〜１４８を有する。これらのボタン１４１〜１４８が押下されると、操作制御部１３０は、押下されたボタン１４１〜１４８に対応する設定項目に関する設定画面を表示するための画面データを生成する。そして、操作制御部１３０は、生成された画面データをタッチパネル１２０に送り、選択された設定項目に関する設定画面を表示させる。
【００１５】
図４は、枠消去の設定画面の一例を示す概略図である。
枠消去の設定画面１５０は、図３のコピー機能設定画面１４０において、枠消去機能を選択するための「Ｅｄｇｅ  Ｅｒａｓｅ」ボタン１４６が押下された際に表示される画面である。枠消去の設定画面１５０は、枠消去オンオフ値及び枠消去幅の値の設定を受け付ける。
枠消去の設定画面１５０は、ＯＮボタン１５１と、ＯＦＦボタン１５２と、枠消去幅加算ボタン１５３と、枠消去幅減算ボタン１５４と、枠消去幅表示領域１５５と、ＯＫボタン１５６と、Ｃａｎｃｅｌボタン１５７とを有する。
ＯＮボタン１５１は、枠消去機能を有効にすることを選択する領域であり、ＯＮボタン１５１が押下された場合には、操作制御部１３０は、図２に示されている設定テーブル１１１ａにおいて、一時枠消去オンオフ値欄１１１ｄを「オン」に設定する。
ＯＦＦボタン１５２は、枠消去機能を無効にすることを選択する領域であり、ＯＦＦボタン１５２が押下された場合には、操作制御部１３０は、設定テーブル１１１ａにおいて、枠消去オンオフ値欄１１１ｂを「オフ」に設定するとともに、タッチパネル１２０に表示させる画面を、コピー機能設定画面に戻す。
枠消去幅加算ボタン１５３は、枠消去幅を「１」増やす指示を入力するための領域であり、枠消去幅加算ボタン１５３が押下された場合には、操作制御部１３０は、設定テーブル１１１ａにおいて、一時枠消去幅欄１１１ｅに格納されている値に「１」を加算するとともに、枠消去幅表示領域１５５に表示されている値に「１」を加算する。
枠消去幅減算ボタン１５４は、枠消去幅を「１」減らす指示を入力するための領域であり、枠消去幅減算ボタン１５４が押下された場合には、操作制御部１３０は、設定テーブル１１１ａにおいて、一時枠消去幅欄１１１ｅに格納されている値から「１」を減算するとともに、枠消去幅表示領域１５５に表示されている値から「１」を減算する。
枠消去幅表示領域１５５は、枠消去の設定画面１５０で設定された枠消去幅の値を表示する領域であり、設定テーブル１１１ａの一時枠消去幅欄１１１ｅに格納されている値に対応する。
ＯＫボタン１５６は、枠消去の設定画面１５０に表示されている枠消去オンオフ値（ここでは「オン」のみ）及び枠消去幅の値を確定する指示を入力する領域である。ＯＫボタン１５６が押下された場合には、操作制御部１３０は、設定テーブル１１１ａにおいて、一時枠消去オンオフ値欄１１１ｄ及び一時枠消去幅欄１１１ｅに格納されている値を、枠消去オンオフ値欄１１１ｂ及び枠消去幅欄１１１ｃにそれぞれコピーする。そして、操作制御部１３０は、タッチパネル１２０に表示させる画面を、コピー機能設定画面に戻す。
Ｃａｎｃｅｌボタン１５７は、枠消去の設定画面１５０への入力をキャンセルする指示を入力する領域である。Ｃａｎｃｅｌボタン１５７が押下された場合には、操作制御部１３０は、タッチパネル１２０に表示させる画面を、コピー機能設定画面に戻す。
【００１６】
図５は、枠消去オンオフ値がオン、言い換えると、ＯＮボタン１５１＃が選択された状態で、枠消去幅加算ボタン１５３＃が押下されて、枠消去幅の値が「１０」となった場合の枠消去の設定画面１５０＃を示す概略図である。
図６は、図４に示されている枠消去の設定画面１５０において、枠消去オンオフ値がオンの状態で、ＯＫボタン１５６が押下されて、再度表示されたコピー機能設定画面１４０＃を示す概略図である。図６では、枠消去オンオフ値がオンであることを示すために、「Ｅｄｇｅ  Ｅｒａｓｅ」ボタン１４６に「ＯＮ」が表示されている。
【００１７】
（動作の説明）
図７は、実施の形態１における枠消去の設定画面を読み出す動作を示すフローチャートである。
図７のフローチャートは、タッチパネル１２０に図３に示すようなコピー機能設定画面１４０が表示されているものとして説明する。
まず、操作制御部１３０は、コピー機能設定画面１４０において枠消去機能に対応するボタン１４６が押下されたか否かを判断する（Ｓ１０）。枠消去機能に対応するボタン１４６が押下された場合（Ｓ１０でＹｅｓ）には、処理はステップＳ１１に進む。
ステップＳ１１では、操作制御部１３０は、枠消去機能がオフになっているか否かを判断する。具体的には、操作制御部１３０は、設定記憶部１１１に記憶されている設定テーブル１１１ａを参照して、枠消去オンオフ値欄１１１ｂに格納されている値が「オフ」であるか否かを判断する。枠消去オンオフ値欄１１１ｂに格納されている値が「オフ」である場合（Ｓ１１でＹｅｓ）には、処理はステップＳ１２に進む。枠消去オンオフ値欄１１１ｂに格納されている値が「オン」である場合（Ｓ１１でＮｏ）には、処理はステップＳ１３に進む。
【００１８】
ステップＳ１２では、操作制御部１３０は、設定テーブル１１１ａにおいて、一時枠消去オンオフ値欄１１１ｄに格納されている値を「オン」に設定し、一時枠消去幅欄１１１ｅに枠消去オンオフ値欄１１１ｂに格納されている値を設定する。ここで、情報処理装置１００の電源投入時（使用開始時）には、枠消去オンオフ値欄１１１ｂに予め定められた初期値が格納されている。そして、処理はステップＳ１４に進む。
【００１９】
ステップＳ１３では、操作制御部１３０は、設定テーブル１１１ａにおいて、一時枠消去オンオフ値欄１１１ｄに枠消去オンオフ値欄１１１ｂに格納されている値を設定し、一時枠消去幅欄１１１ｅに枠消去幅欄１１１ｃに格納されている値を設定する。そして、処理はステップＳ１４に進む。
【００２０】
ステップＳ１４では、操作制御部１３０は、表示用データ記憶部１１２に記憶されている表示用データ及び設定テーブル１１１ａを用いて、枠消去の設定画面１５０の画面データを生成して、タッチパネル１２０に送る。そして、タッチパネル１２０は、受け取った画面データに基づいて、枠消去の設定画面１５０を表示する。ここで、枠消去の設定画面１５０では、一時枠消去オンオフ値欄１１１ｄに格納されている「オン」の値に基づいて、ＯＮボタン１５１が選択された状態となっており、また、一時枠消去幅欄１１１ｅに格納されている値に基づいて、枠消去幅表示領域１５５に枠消去幅が表示される。
【００２１】
図７のフローチャートによれば、枠消去機能の設定が「オフ」になっていたとしても、言い換えると、設定テーブル１１１ａの枠消去オンオフ値欄１１１ｂに「オフ」の値が格納されていたとしても、枠消去の設定画面１５０を表示する際には、枠消去機能を「オン」に設定した状態、言い換えると、ＯＮボタン１５１が選択された状態で表示される。このため、ユーザが、枠消去の設定画面１５０において、ＯＮボタン１５１を押下する手間を削減することができる。
【００２２】
図８は、実施の形態１における枠消去の設定画面での動作を示すフローチャートである。
図８のフローチャートは、タッチパネル１２０に図４に示すような枠消去の設定画面１５０が表示されているものとして説明する。
操作制御部１３０は、枠消去の設定画面１５０において、何れかのボタンが押下されたか否かを判断する（Ｓ２０）。何れかのボタンが押下された場合（Ｓ２０でＹｅｓ）には、処理はステップＳ２１に進む。
【００２３】
ステップＳ２１では、操作制御部１３０は、押下されたボタンが枠消去幅加算ボタン１５３であるか否かを判断する。押下されたボタンが枠消去幅加算ボタン１５３である場合（Ｓ２１でＹｅｓ）には、処理はステップＳ２２に進み、押下されたボタンが枠消去幅加算ボタン１５３ではない場合（Ｓ２１でＮｏ）には、処理はステップＳ２３に進む。
ステップＳ２２では、操作制御部１３０は、枠消去幅加算処理を行う。この処理については、図９を用いて後述する。
【００２４】
ステップＳ２３では、操作制御部１３０は、押下されたボタンが枠消去幅減算ボタン１５４であるか否かを判断する。押下されたボタンが枠消去幅減算ボタン１５４である場合（Ｓ２３でＹｅｓ）には、処理はステップＳ２４に進み、押下されたボタンが枠消去幅減算ボタン１５４ではない場合（Ｓ２３でＮｏ）には、処理はステップＳ２５に進む。
ステップＳ２４では、操作制御部１３０は、枠消去幅減算処理を行う。この処理については、図１０を用いて後述する。
【００２５】
ステップＳ２５では、操作制御部１３０は、押下されたボタンがＯＫボタン１５６であるか否かを判断する。押下されたボタンがＯＫボタン１５６である場合（Ｓ２５でＹｅｓ）には、処理はステップＳ２６に進み、押下されたボタンがＯＫボタン１５６ではない場合（Ｓ２５でＮｏ）には、処理はステップＳ２７に進む。
ステップＳ２６では、操作制御部１３０は、確定処理を行う。この処理については、図１１を用いて後述する。
【００２６】
ステップＳ２７では、操作制御部１３０は、押下されたボタンがＯＦＦボタン１５２であるか否かを判断する。押下されたボタンがＯＦＦボタン１５２である場合（Ｓ２７でＹｅｓ）には、処理はステップＳ２８に進む。押下されたボタンがＯＦＦボタン１５２ではない場合（Ｓ２７でＮｏ）には、Ｃａｎｃｅｌボタン１５７が押下されたことになるため、処理はステップＳ２９に進む。
ステップＳ２８では、操作制御部１３０は、ＯＦＦ処理を行う。この処理については、図１２を用いて後述する。
【００２７】
ステップＳ２９では、操作制御部１３０は、タッチパネル１２０に、枠消去の設定画面を消去させて、コピー機能設定画面１４０の表示に戻させる。具体的には、操作制御部１３０は、表示用データ記憶部１１２に記憶されている表示用データ及び設定テーブル１１１ａを用いて、コピー機能設定画面の画面データを生成して、タッチパネル１２０に送る。そして、タッチパネル１２０は、受け取った画面データに基づいて、コピー機能設定画面を表示する。
【００２８】
図９は、実施の形態１における枠消去幅加算処理を示すフローチャートである。
操作制御部１３０は、設定記憶部１１１に記憶されている設定テーブル１１１ａの一時枠消去幅欄１１１ｅに格納されている値を判定する（Ｓ３０）。この値が、予め定められた閾値である枠消去幅の上限値と等しい場合（Ｓ３０でＹｅｓ）には、操作制御部１３０は何もせずに、処理は図８のステップＳ２０に進む。この値が、予め定められた閾値である枠消去幅の上限値未満である場合（Ｓ３０でＮｏ）には、処理はステップＳ３１に進む。
ステップＳ３１では、操作制御部１３０は、設定テーブル１１１ａの一時枠消去幅欄１１１ｅに格納されている値に「１」を加算する。
そして、操作制御部１３０は、設定テーブル１１１ａの一時枠消去幅欄１１１ｅに格納されている値を、枠消去の設定画面１５０の枠消去幅表示領域１５５に反映する（Ｓ３２）。
次に、処理は、図８のステップＳ２０に進む。
【００２９】
図１０は、実施の形態１における枠消去幅減算処理を示すフローチャートである。
操作制御部１３０は、設定記憶部１１１に記憶されている設定テーブル１１１ａの一時枠消去幅欄１１１ｅに格納されている値を判定する（Ｓ４０）。この値が、予め定められた閾値である枠消去幅の下限値と等しい場合（Ｓ４０でＹｅｓ）には、操作制御部１３０は何もせずに、処理は図８のステップＳ２０に進む。この値が、予め定められた閾値である枠消去幅の下限値よりも大きい場合（Ｓ４０でＮｏ）には、処理はステップＳ４１に進む。
ステップＳ４１では、操作制御部１３０は、設定テーブル１１１ａの一時枠消去幅欄１１１ｅに格納されている値から「１」を減算する。
そして、操作制御部１３０は、設定テーブル１１１ａの一時枠消去幅欄１１１ｅに格納されている値を、枠消去の設定画面１５０の枠消去幅表示領域１５５に反映する（Ｓ４２）。
次に、処理は、図８のステップＳ２０に進む。
【００３０】
図１１は、実施の形態１における確定処理を示すフローチャートである。
操作制御部１３０は、設定記憶部１１１に記憶されている設定テーブル１１１ａにおいて、一時枠消去オンオフ値欄１１１ｄに格納されている値を枠消去オンオフ値欄１１１ｂにコピーし、一時枠消去幅欄１１１ｅの値を枠消去幅欄１１１ｃにコピーする（Ｓ５０）。そして、処理は図８のステップＳ２９に進む。
【００３１】
図１２は、実施の形態１におけるＯＦＦ処理を示すフローチャートである。
操作制御部１３０は、設定記憶部１１１に記憶されている設定テーブル１１１ａにおいて、枠消去オンオフ値欄１１１ｂに「オフ」を設定する（Ｓ６０）。そして、処理は図８のステップＳ２９に進む。
【００３２】
図８及び図１２のフローチャートによれば、枠消去の設定画面１５０においてＯＦＦボタン１５２が押下された場合には、タッチパネル１２０の表示がコピー機能設定画面に戻るため、ユーザは、ＯＫボタン１５６をさらに押下する等、コピー機能設定画面に戻る操作を重複して行う必要がなくなる。
【００３３】
以上に記載された実施の形態によれば、コピー機能設定画面上で枠消去オンオフ値がオフの場合でも、枠消去機能に対応するボタンが押下されると、ユーザによる操作なしに枠消去の設定画面上で枠消去オンオフ値をオンにするとともに、枠消去の設定画面上で枠消去オンオフ値がオフにされたら即座に枠消去の設定画面が閉じられるため、操作効率を向上させることができる。
【００３４】
以上に記載された実施の形態１における情報処理装置は、例えば、プリンタ、複写機、複合装置（ＭＦＰ）又はファクシミリ装置等である。
【００３５】
以上に記載された実施の形態１では、タッチパネルの実装方式として抵抗膜方式を用いる例を説明したが、代わりに静電容量方式を用いる構成も可能である。
【００３６】
以上に記載された実施の形態１では、予め定められた設定項目は、画像を形成する媒体の端に余白を形成する枠消去機能を設定する項目であり、その選択値は、枠消去機能を有効にするか否かを選択する値であり、その設定値は、枠消去機能を有効にした場合における余白の大きさを示す値であったが、このような例に限定されるものではない。
例えば、予め定められた設定項目は、情報処理装置１００の不使用期間が予め定められた閾値時間を超えた場合に、情報処理装置１００を省電力状態に移行させるスリープ機能を設定する項目であり、その選択値は、スリープ機能を有効にするか否かを選択する値であり、その設定値は、スリープ機能を有効にした場合における閾値時間を示す値であってもよい。ここで、省電力状態は、情報処理装置１００で情報を処理することのできる通常状態よりも省電力の状態である。
また、予め定められた設定項目は、選択値として、一枚の原稿から読み取られた画像を一枚の媒体（紙）に複数配置する機能であるリピート機能を設定する項目であり、その選択値は、リピート機能を有効にするか否かを選択する値であり、その設定値は、リピート機能を有効にした場合の原稿の配置数、例えば、「２ＵＰ（画像を２つ配置）」又は「４ＵＰ（画像を４つ配置）」を示す値であってもよい。
さらに、予め定められた設定項目は、綴じ代となる余白を配置する機能であるマージン機能を設定する項目であり、その選択値は、マージン機能を有効にするか否かを選択する値であり、その設定値は、マージン機能を有効にした場合の余白の大きさ（媒体の端からの幅）を示す値であってもよい。
【符号の説明】
【００３７】
１００  情報処理装置、  １１０  記憶部、  １１１  設定記憶部、  １１２  表示用データ記憶部、  １２０  タッチパネル、  １３０  操作制御部。
【図１】
2016010087.tif 000003
【図２】
2016010087.tif 000004
【図３】
2016010087.tif 000005
【図４】
2016010087.tif 000006
【図５】
2016010087.tif 000007
【図６】
2016010087.tif 000008
【図７】
2016010087.tif 000009
【図８】
2016010087.tif 000010
【図９】
2016010087.tif 000011
【図１０】
2016010087.tif 000012
【図１１】
2016010087.tif 000013
【図１２】
2016010087.tif 000014